(57)【要約】【課題】  刷毛３に含ませた塗料を、容器本体Ａの掻き落とし部８ａに強く押し付けても、容器本体Ａが傾いたりして、中の塗料がこぼれないようにする。【解決手段】  容器本体Ａに、その開口６に向かって内径を縮小する縮小傾斜部８を形成するとともに、この縮小傾斜部の開口縁を、刷毛３に付着した塗料を掻き落とすための掻き落とし部８ａとする一方、上記容器本体Ａに取っ手１０を設け、この取っ手１０と容器本体Ａとを相対回転自在にした塗料用容器において、容器本体Ａの外側であって、容器本体の開口面に対してほぼ直角に起立させた取っ手１０の側部に相当する部分に、取っ手に対して容器本体が回動するのを規制する回動規制突部１１ａ，１１ｂ，１２ａ，１２ｂを設けた。【選択図】  図１
2005200056.tif 000002
【特許請求の範囲】
【請求項１】
容器本体に、その開口に向かって内径を縮小する縮小傾斜部を形成するとともに、この縮小傾斜部の開口縁を、刷毛に付着した塗料を掻き落とすための掻き落とし部とする一方、上記容器本体に取っ手を設け、この取っ手と容器本体とを相対回転自在にした塗料用容器において、容器本体の外側であって、容器本体の開口面に対してほぼ直角に起立させた取っ手の側部に相当する部分に、取っ手に接してその取っ手に対して容器本体が回動するのを規制する回動規制突部を設けた塗料用容器。
【請求項２】
容器本体には、開口に向かって内径を徐々に拡大するとともに上記縮小傾斜部に連続する拡大傾斜部を形成し、この拡大傾斜部と縮小傾斜部との境界部分に、円周方向に連続する稜部を設け、この稜部に回動規制突部を設けた請求項１または２記載の塗料用容器。
【発明の詳細な説明】
【技術分野】
【０００１】
この発明は、容器本体を手にぶら下げながら、その容器本体内の塗料を刷毛に含ませるために使用する塗料用容器に関する。
【背景技術】
【０００２】
この種の塗料用容器として、特許文献１に記載されたものが従来から知られているが、この従来の塗料用容器を示したのが、図３および図４である。この図３および図４に示した塗料用容器は、その容器本体ａの開口を内側に絞るようにして縮小傾斜部１を形成するとともに、この縮小傾斜部１の開口縁を刷毛に付着した塗料を掻き落とすための掻き落とし部１ａとしている。さらに、この容器本体ａは、上記開口の直径方向両端に取っ手２の基端を回動自在に取り付けている。
【０００３】
上記のようにした塗料用容器は、次のようにして使用する。すなわち、容器本体ａに塗料を入れ、一方の手で取っ手２をぶら下げながら、他方の手に持った刷毛３を塗料に浸すとともに、その塗料を浸した刷毛３で塗装作業をする。このとき、刷毛３に塗料を含ませ過ぎたときには、刷毛３を掻き落とし部１ａに強く押し付けながら、必要以上の塗料を容器本体ａに戻す。また、刷毛３に塗料をなじませるためにも、刷毛３を掻き落とし部１ａに押し付けることがある。
【特許文献１】実用新案登録第３０４６８１１号公報
【発明の開示】
【発明が解決しようとする課題】
【０００４】
上記従来の塗料用容器では、容器本体ａと取っ手２とが相対回転自在になっているので、上記のように一方の手で取っ手２をぶら下げながら、他方の手に持った刷毛３を掻き落とし部１ａに強く押し付けると、図４に示すように、容器本体ａの方が傾いてしまう。しかし、容器本体ａが傾き過ぎると、場合によっては、その中に入れた塗料がこぼれてしまい、それこそ周囲を汚してしまうという問題があった。
【０００５】
また、容器本体ａが傾いて塗料がこぼれやすくなると、塗装作業者は、塗料がこぼれるのを気遣って、刷毛３に必要以上に含まれた塗料を掻き落としきらないまま塗装作業をしてしまう傾向もあった。しかし、刷毛３に必要以上の塗料が含まれていると、塗料が周辺にぼたぼたと落ちたり、塗装面が不均一になったりしてしまうという問題が発生してしまう。
さらに、前記したように刷毛３に塗料をなじませるためにも、掻き落とし部１ａに刷毛３を押し付けるが、このときにも、掻き落とし部１ａに対する刷毛３の押し付け力が弱くなると、刷毛３に塗料が十分になじまず、塗装面にむらができてしまう。
この発明の目的は、刷毛を掻き落とし部に強く押し付けても、容器本体が傾いて中の塗料がこぼれないようにした塗料用容器を提供することである。
【課題を解決するための手段】
【０００６】
第１の発明は、容器本体に、その開口に向かって内径を縮小する縮小傾斜部を形成するとともに、この縮小傾斜部の開口縁を、刷毛に付着した塗料を掻き落とすための掻き落とし部とする一方、上記容器本体に取っ手を設け、この取っ手と容器本体とを相対回転自在にした塗料用容器において、容器本体の外側であって、容器本体の開口面に対してほぼ直角に起立させた取っ手の側部に相当する部分に、取っ手に接してその取っ手に対して容器本体が回動するのを規制する回動規制突部を設けた点に特徴を有する。
【０００７】
第２の発明は、容器本体には、開口に向かって内径を徐々に拡大するとともに上記縮小傾斜部に連続する拡大傾斜部を形成し、この拡大傾斜部と縮小傾斜部との境界部分に、円周方向に連続する稜部を設け、この稜部に回動規制突部を設けた点に特徴を有する。
【発明の効果】
【０００８】
第１の発明によれば、取っ手に対して容器本体の回動を規制する回動規制突部を設けたので、刷毛を掻き落とし部に強く押し付けても、容器本体が傾いたりしない。このように容器本体が傾かないので、作業者は安心して刷毛の塗料を掻き落とすことができるとともに、刷毛に塗料を十分になじませながら、塗装作業をすることができる。
このように安心して刷毛の塗料を掻き落とし、しかも刷毛に塗料を十分になじませながら塗装作業ができるので、塗装面を常に均一に塗装することができる。
【０００９】
第２の発明によれば、拡大傾斜部と縮小傾斜部との境界部分に、円周方向に連続する稜部を設け、この稜部に回動規制突部を設けたので、回動規制突部と取っ手との押し付け力を大きく確保できる。このように押し付け力を大きく確保できるので、刷毛を強い力で掻き落とし部に押し付けたとしても、容器本体の傾きを確実に規制することができる。したがって、塗装作業者は、掻き落とし時の力を加減することがなくなる。このように力加減を必要としないので、塗装作業者の作業効率が向上することになる。
【発明を実施するための最良の形態】
【００１０】
図１および図２に示した実施形態は、容器本体Ａの上側部分に、底部４よりも径を大きくした拡大径部５を形成するとともに、この拡大径部５には、容器本体Ａの開口６に向かって徐々に径を拡大した拡大傾斜部７を形成している。また、この拡大傾斜部７には、上記開口６に向かって徐々に径を縮小した縮小傾斜部８を連続させるとともに、この縮小傾斜部８の縁を掻き落とし部８ａとしている。
【００１１】
上記のように拡大傾斜部７と縮小傾斜部８とを連続させることによって、それらの境界部分には、円周方向に連続する稜部９が形成される。そして、容器本体Ａには取っ手１０を回動自在に設けているが、その回動基点１０ａは、容器本体Ａの直径方向に互いに対抗する部分であって、上記稜部９よりも下側にある拡大径部５に位置させている。
【００１２】
そして、上記取っ手１０を容器本体Ａの開口面に対してほぼ直角に起立させた状態において、その取っ手１０の両側に位置する上記稜部９に、取っ手１０を挟むようにして一対の回動規制突部１１ａ，１１ｂ，１２ａ，１２ｂを設けている。ただし、この回動規制突部１１ａ，１１ｂ，１２ａ，１２ｂは、図２に示すように、稜部９の裏側を凹ませて、その表側を突出させたものである。
【００１３】
なお、上記稜部９は、図示のように線として現れる必要はなく、丸みを帯びていてもよい。なぜなら、この稜部９は、上記回動規制突部１１ａ，１１ｂ，１２ａ，１２ｂを、他の面よりも十分に突出させる機能さえ果たせばよいからである。
【００１４】
上記のように容器本体Ａの開口面に対してほぼ直角に起立させた取っ手１０の両側に、回動規制突部１１ａ，１１ｂ，１２ａ，１２ｂを設けたので、これら突部１１ａと１１ｂ，１２ａと１２ｂ間に、取っ手１０を位置させておけば、その起立させた取っ手１０に対して、容器本体Ａが回動するのを規制することができる。ただし、これら回動規制突部１１ａ，１１ｂ，１２ａ，１２ｂの高さは次のように設定している。
【００１５】
すなわち、回動規制突部１１ａと１１ｂ，１２ａと１２ｂの間に位置させて、容器本体Ａの開口に対してほぼ直角に起立させた取っ手１０を強制的に回動すれば、取っ手１０が回動規制突部１１ａあるいは１１ｂ，１２ａあるいは１２ｂを乗り越えることができる程度の高さを保っている。詳しく説明すると、上記のように起立させた取っ手１０を、容器本体Ａに対して手で強制的に回動したときには、取っ手１０が上記回動規制突部１１ａあるいは１１ｂ，１２ａあるいは１２ｂを乗り越えられる。しかし、前記した容器本体Ａの掻き落とし部８ａに、刷毛３を押し付ける程度の力では、取っ手１０が上記回動規制突部１１ａあるいは１１ｂ，１２ａあるいは１２ｂを乗り越えることができない高さを維持している。
【００１６】
次に、この実施形態の作用を説明する。
上記容器本体Ａは、塗装作業をする者が手にぶら下げながら使用するものである。つまり、塗料を入れた容器本体Ａを一方の手に持ち、他方の手には刷毛３を持ちながら、塗装作業中に、容器本体Ａ内の塗料を刷毛３に含ませるために使用するものである。このように容器本体Ａに塗料を入れた状態で取っ手１０を手に持ちながら、容器本体Ａをぶら下げれば、当然のこととして、取っ手１０は容器本体Ａの開口面に対してほぼ直角な状態を維持することになる。このように取っ手１０は容器本体Ａの開口面に対してほぼ直角な状態を維持すれば、取っ手１０は回動規制突部１１ａと１１ｂ，１２ａと１２ｂの間に位置することになる。したがって、容器本体Ａは、取っ手１０に対してその回動を規制された状態に保たれる。
【００１７】
また、容器本体Ａ内の塗料を、刷毛３に含ませるときには、前記背景技術の欄でも説明したように、刷毛３を掻き落とし部８ａに強く押し付けながら、必要以上の塗料を容器本体Ａに戻す。また、刷毛３に塗料をなじませるためにも、刷毛３を掻き落とし部８ａに押し付ける。
そして、この実施形態では、上記のように刷毛３を掻き落とし部８ａに押し付けたとしても、容器本体Ａが取っ手１０に対して傾かない、あるいは傾いたとしてもその傾きの角度を小さく押さえられるので、容器本体Ａ内の塗料がこぼれたりしない。
【００１８】
したがって、塗装作業者は、容器本体Ａが傾きすぎて塗料がこぼれることを心配しながら、塗料の掻き落としや、刷毛３に塗料をなじませる作業をしなくてもよい。言い換えると、刷毛３を掻き落とし部８ａに押し付ける力の調整をラフにできるので、その分、作業を迅速にすることができる。
なお、上記実施形態において、回動規制突部は、容器本体Ａの回動規制方向を特定できるなら、容器本体Ａの開口面に対してほぼ直角に起立させた取っ手１０のいずれか一方の側だけに位置させてもよい。
【産業上の利用可能性】
【００１９】
この発明は、刷毛に塗料を含ませながら塗装作業をするときに利用するのに最適である。
【図面の簡単な説明】
【００２０】
【図１】実施形態の斜視図である。
【図２】実施形態の断面図である。
【図３】従来の容器の斜視図である。
【図４】従来の容器の使用状態を示す斜視図である。
【符号の説明】
【００２１】
Ａ        容器本体
６        開口
７        拡大傾斜部
８        縮小傾斜部
８ａ      掻き落とし部
９        稜部
１０      取っ手
１１ａ    回動規制突部
１１ｂ    回動規制突部
１２ａ    回動規制突部
１２ｂ    回動規制突部
【図１】
2005200056.tif 000003
【図２】
2005200056.tif 000004
【図３】
2005200056.tif 000005
【図４】
2005200056.tif 000006